(57)【要約】【課題】居室親機のモニタに表示されている映像の撮像範囲を変更することなく、選択した人物のみを拡大表示し録画することができるインターホン装置を提供する。【解決手段】来訪者を撮像するカメラを備えた玄関子機と、カメラで撮像された映像を出力するモニタを備えた居室親機で構成されたインターホン装置において、居室親機には、カメラで撮像された映像より人物を検出する人物検出部と、人物検出部で人物を検出した際にモニタに表示されている人物の上に吹き出しを表示させる吹き出し表示制御部と、モニタに表示された人物を選択する人物選択部と、人物選択部で選択された人物を含む録画画面範囲を決定する録画範囲決定部と、録画範囲決定部で決定された録画画面範囲の映像のみを複製し全画面表示用に拡大する映像処理部と、録画範囲決定部で決定された録画画面範囲を録画する録画部を備えた。【選択図】  図１
2010081160.tif 000002
【特許請求の範囲】
【請求項１】
来訪者を撮像するカメラを備えた玄関子機と、前記カメラで撮像された映像を出力するモニタを備えた居室親機で構成されたインターホン装置において、
前記居室親機には、前記カメラで撮像された映像より人物を検出する人物検出部と、前記モニタに表示された人物を選択する人物選択部と、前記人物選択部で選択された人物を含む録画画面範囲を決定する録画範囲決定部と、前記録画範囲決定部で決定された録画画面範囲を録画する録画部を備えたことを特徴とするインターホン装置。
【請求項２】
前記居室親機には、前記録画範囲決定部で決定された録画画面範囲のみを複製し、前記録画画面範囲と前記モニタの出画可能範囲とを比較して拡大率を決定し、前記録画した映像を全画面表示用に拡大する映像処理部を備えたことを特徴とする請求項１記載のインターホン装置。
【請求項３】
前記居室親機には、前記人物検出部で人物を検出した際に、前記モニタに表示されている人物ごとに予め定められたメッセージを表示する表示制御部を備えたことを特徴とする請求項１又は請求項２記載のインターホン装置。
【発明の詳細な説明】
【技術分野】
【０００１】
本発明は、玄関子機からの映像を居室親機にて出力できるインターホン装置であって、居室親機のモニタに出力されている映像の撮像範囲は変更することなく、選択した人物のみを拡大表示し録画することができるインターホン装置に関する。
【背景技術】
【０００２】
従来から、玄関子機で撮像された映像を居室親機にて表示させるインターホン装置が広く知れ渡っており、玄関子機のカメラの撮像範囲を変更して自分の希望する画面とし、録画を行うことが可能であった。
例えば、特許文献１では、居室親機の操作によって玄関子機で撮像した映像をズームさせることができた。また、撮像範囲以外の周囲映像を確認するには、パンチルト操作を行ってカメラの撮像範囲の変更を行っていた。
【特許文献１】特開２００４−３０４５５８
【発明の開示】
【発明が解決しようとする課題】
【０００３】
しかし、居室親機ではモニタ中の映像のみしか録画を行えないため、ズームアップ中に録画を行った場合は、撮像範囲以外の映像に切り替えると録画の映像も同時に切り替わってしまった。また、玄関先の人物だけをズームアップさせ録画を行うためには、居室親機のズーム操作、パンチルト操作を行なって、自分の希望する画面に調整し、録画操作を行わなければならず、操作が困難であった。
【０００４】
本発明は、上記問題を解決するためになされたものであって、居室親機のモニタに表示されている映像の撮像範囲を変更することなく、選択した人物のみを拡大表示し録画することができるインターホン装置を提供することを目的とする。
【課題を解決するための手段】
【０００５】
上記課題を解決するために、請求項１に記載の発明は、来訪者を撮像するカメラを備えた玄関子機と、カメラで撮像された映像を出力するモニタを備えた居室親機で構成されたインターホン装置において、居室親機には、カメラで撮像された映像より人物を検出する人物検出部と、モニタに表示された人物を選択する人物選択部と、人物選択部で選択された人物を含む録画画面範囲を決定する録画範囲決定部と、録画範囲決定部で決定された録画画面範囲を録画する録画部を備えたことを特徴とする。
【０００６】
請求項２の発明は、請求項１の発明において、居室親機には、録画範囲決定部で決定された録画画面範囲のみを複製し、録画画面範囲とモニタの出画可能範囲とを比較して拡大率を決定し、録画した映像を全画面表示用に拡大する映像処理部を備えたことを特徴とする。
【０００７】
請求項３の発明は、請求項１又は請求項２の発明において、居室親機には、人物検出部で人物を検出した際に、モニタに表示されている人物ごとに予め定められたメッセージを表示する表示制御部を備えたことを特徴とする。
【発明の効果】
【０００８】
請求項１の発明によれば、居室親機の簡単な操作で、玄関周辺にいる人物をモニタにて選択でき、録画範囲の映像を録画することができる。
請求項２の発明によれば、居室親機の簡単な操作で、居室親機のモニタに出力されている映像の撮像範囲を切り替えることなく、選択した人物のみを拡大表示し録画することができる。
請求項３の発明によれば、居室親機のモニタに表示されている人物が検出され録画できることを視覚的に容易に確認することができる。
【発明を実施するための最良の形態】
【０００９】
以下、本発明によるインターホン装置を適用した最良の実施の形態例について、図面を参照して説明する。本発明のインターホン装置は図１に示すように、来訪者が居住者を呼び出して通話するための玄関子機１、当該玄関子機からの呼び出しを確認して来訪者と通話するための居室親機２で構成されている。
【００１０】
ここで玄関子機１は、玄関先の来訪者を撮像するカメラ１０１と、居住者と会話するための子機音響部１０２と、居室親機２を呼び出すための呼出ボタン１０３と、居室親機２と通信するための子機Ｉ／Ｆ１０４で構成されている。
【００１１】
また、居室親機２は、玄関子機１から送られてきた映像信号を表示するモニタ２０１と、撮像された映像より人物を検出する人物検出部２０２と、モニタ２０１に表示された人物を選択する人物選択部２０３と、人物選択部２０３で選択された人物を含む録画画面範囲を決定する録画範囲決定部２０４と、撮像された映像を録画する録画部２０５と、録画範囲決定部２０４で決定された録画画面範囲のみを複製し、全画面表示用に拡大する映像処理部２０６と、人物検出部２０２で人物を検出した際にモニタ２０１に表示されている人物の上に吹き出しを表示させる吹き出し表示制御部２０７と、玄関子機１から呼び出されたときに応答するための通話ボタン２０８と、居室親機２の各部を制御するＣＰＵ２０９と、来訪者と会話するための親機音響部２１０と、玄関子機１と通信するための親機Ｉ／Ｆ２１１で構成されている。
【００１２】
図２は、居室親機２での人物検出から録画完了までの画面遷移の一例を表している。
このようなインターホン装置において動作説明を行う。まずは通常の呼出操作から通話に入るまでの動作説明を行う。
【００１３】
来訪者が玄関子機１の呼出ボタン１０３を操作すると、呼出信号が子機Ｉ／Ｆ１０４を介して居室親機２に送信され、親機Ｉ／Ｆ２１１を介してＣＰＵ２０９にて受信される。呼出信号を受信したＣＰＵ２０９は、親機音響部２１０から呼出音を出力するよう制御する。さらに、玄関子機１の子機音響部１０２からの音声信号を子機Ｉ／Ｆ１０４、親機Ｉ／Ｆ２１１を介して居室親機２の親機音響部２１０へ出力させると共に、玄関子機１のカメラ１０１からの映像信号を子機Ｉ／Ｆ１０４、親機Ｉ／Ｆ２１１、人物検出部２０２、吹き出し表示制御部２０７を介してモニタ２０１に出力させる。このとき、居室親機の通話ボタン２０８を操作することにより、居室親機２の親機音響部２１０からの音声信号は、親機Ｉ／Ｆ２１１、子機Ｉ／Ｆ１０４を介して玄関子機１の子機音響部１０２へ出力させることができる。
【００１４】
次に、居室親機２に出力される映像で人物を検出したときの動作説明を行う。
カメラ１０１で撮像された映像を図２（ａ）のようにモニタ２０１に出力するときに、人物検出部２０２で撮像中の全ての人物を検出する検出処理を行う。人物を検出した場合は、カメラ１０１で撮像された映像である図２（ａ）に対し、検出された各々の人物の上に吹き出し表示制御部２０７にて吹き出しを付加して図２（ｂ）のようにしてモニタ２０１に出力する。当該吹き出しの位置は、ＣＰＵ２０９の制御によっておこなわれ、人物及び他の吹き出しと重ならない位置に表示される。
【００１５】
このとき、人物選択部２０３には、人物検出部２０２より検出された各々の人物が記憶される。
【００１６】
最後に、居室親機２にて対象の人物を選択し録画を行ったときの動作説明を行う。
カメラ１０１で撮像された映像で人物を検出し、図２（ｂ）のように吹き出し付きでモニタ２０１に出力しているときに、モニタ２０１で人物選択部２０３に記憶されている人物を選択する、例えばタッチパネルにて人物の選択を行う、又は吹き出しの番号を入力する等の方法を用いて人物の選択をする場合、人物検出部２０２にて人物の検出を一定時間禁止し、図２（ｃ）のように吹き出し表示制御部２０７にて吹き出しを非表示とすると共に、対象の人物が含まれる録画範囲３０１を録画範囲決定部２０４で決定する。このとき、録画範囲決定部２０４では、対象の人物の顔のみを録画する場合や、対象の人物全体を録画する場合などの録画範囲の選択機能を備えても良い。録画範囲決定部２０４で録画範囲が決定されると映像処理部２０６では、図２（ｄ）のように録画範囲３０１の部分のみの映像を複製し、図２（ｅ）のように全体画面でも画像が劣化しないように拡大処理し録画部２０５にて録画を行う。拡大率は録画範囲により左右されるため、映像処理部２０６にて録画画面範囲とモニタ２０１の出画可能範囲とを比較して決定される。
【００１７】
これにより、映像処理部２０６にて拡大処理した映像は録画部２０５にて録画され、後から録画再生操作を行うことで、来訪者が拡大された画像を録画部２０５より読み出してモニタ２０１に表示し確認することができる。
【００１８】
また、映像処理部２０６で拡大処理して録画を行ったが、モニタよりも高い解像度のカメラで撮像を用いることで、画像を劣化させず拡大録画を行うことができる。例えば、モニタの出力する解像度がＱＶＧＡ、カメラで撮像する解像度がＶＧＡであった場合には、ＶＧＡの映像信号をＱＶＧＡに変換させてモニタに出力させている。そこで、録画の画面範囲を確定する時には、カメラからの映像信号ＶＧＡの一部のＱＶＧＡ部分を複製することができるため、カメラで撮像した画像を劣化させず録画することができる。
【図面の簡単な説明】
【００１９】
【図１】本発明に係るインターホン装置の実施例を示す構成図。
【図２】本発明に係るインターホン装置にて居室親機での人物検出から録画実行までの画面遷移図。
【符号の説明】
【００２０】
１・・・玄関子機
１０１・・・カメラ
２・・・居室親機
２０１・・・モニタ
２０２・・・人物検出部
２０３・・・人物選択部
２０４・・・録画範囲決定部
２０５・・・録画部
２０６・・・映像処理部
２０７・・・吹き出し表示制御部
【図１】
2010081160.tif 000003
【図２】
2010081160.tif 000004